(57)【要約】【課題】  街路灯のように一側照明が可能で、発熱要素と照明要素とがそれぞれ分離された空間に設置され、発生した熱が外部に円滑に放出されるように構成された無電極照明システムを提供する。【解決手段】  無電極照明システムは、マイクロ波発生器１０２、マイクロ波エネルギーをガイドする導波管１０３、及び前記導波管１０３と連通しマイクロ波エネルギーにより光を発光する発光部１２０が内部に設置され、前記発光部１２０からの光を外部に照らすために一側が開口された第１ケース２００と、前記第１ケース２００の開口された一側を開閉自在に前記第１ケース２００に結合され、前記発光部１２０からの光を通過させるように構成された第２ケース３００と、前記第１ケース２００の外部一側に位置し、その内部に前記マイクロ波発生器１０２に高電圧を供給する高電圧発生器１０８が設置された第３ケース４００とを含む。【選択図】      図１
2006128074.tif 000002
【特許請求の範囲】
【請求項１】
マイクロ波発生器、マイクロ波エネルギーをガイドする導波管、及び前記導波管と連通しマイクロ波エネルギーにより光を発光する発光部が内部に設置され、前記発光部からの光を外部に照らすために一側が開口された第１ケースと、
前記第１ケースの開口された一側を開閉自在に前記第１ケースに結合され、前記発光部からの光を通過させるように構成された第２ケースと、
前記第１ケースの外部一側に位置し、その内部に前記マイクロ波発生器に高電圧を供給する高電圧発生器が設置された第３ケースと、
を含むことを特徴とする無電極照明システム。
【請求項２】
前記第１ケースは、
前記発光部が位置する第１領域と、
前記マイクロ波発生器及び導波管が位置する第２領域と、
前記第１ケースを支持するアームが設置され、前記高電圧発生器及びマイクロ波発生器に電源を供給するための電源ケーブルが引き込まれる第３領域とに区分されることを特徴とする請求項１に記載の無電極照明システム。
【請求項３】
前記第１領域及び第２領域が位置する前記第１ケースの外部一側には、前記発光部及びマイクロ波発生器から発生する熱を外部に伝達するための複数の放熱ピンが形成されることを特徴とする請求項２に記載の無電極照明システム。
【請求項４】
前記マイクロ波発生器から発生する熱を外部に伝達するために、前記第１ケースの第２領域には、前記マイクロ波発生器と第１ケースの内面とを連結する熱伝達部材が設置されることを特徴とする請求項３に記載の無電極照明システム。
【請求項５】
前記熱伝達部材は、前記第１ケースの放熱ピンが形成された側の内面に連結されることを特徴とする請求項４に記載の無電極照明システム。
【請求項６】
前記発光部は、
一端が前記導波管に連結され、前記導波管から流入するマイクロ波エネルギーは内部で共振させ、光は通過させるように構成された共振器と、
前記共振器の一端より他端に近く位置し、マイクロ波エネルギーにより発光するバルブと、
前記第１ケースの開口された一側と対向する前記第１ケースの内面に設置され、前記バルブからの光を前記第１ケースの開口された一側に反射させるリフレクタと、
を含むことを特徴とする請求項２に記載の無電極照明システム。
【請求項７】
前記第１領域と第２領域とは、分離板により分けられ、前記分離板には、前記導波管と連結される前記共振器が通過するホールが形成されることを特徴とする請求項６に記載の無電極照明システム。
【請求項８】
前記分離板は、前記第１ケースと一体に形成されることを特徴とする請求項７に記載の無電極照明システム。
【請求項９】
前記分離板は、前記第１ケースと異なる材質の部材により形成されることを特徴とする請求項７に記載の無電極照明システム。
【請求項１０】
前記分離板は、断熱部材により形成されることを特徴とする請求項９に記載の無電極照明システム。
【請求項１１】
前記第２領域と第３領域とは、分離板により分けられ、前記分離板には、前記電源ケーブルが通過する複数のホールが形成されることを特徴とする請求項２に記載の無電極照明システム。
【請求項１２】
前記第３ケースの外側一面には、複数の放熱ピンが形成されることを特徴とする請求項１に記載の無電極照明システム。
【請求項１３】
前記第３ケースは、前記第１ケースに密着するように付着されることを特徴とする請求項２に記載の無電極照明システム。
【請求項１４】
前記第３ケースと前記第１ケースの第２領域とは、分離板により分けられることを特徴とする請求項１３に記載の無電極照明システム。
【請求項１５】
前記第１ケースの第２領域をカバーする前記第２ケースの一部分、及び前記分離板には、それぞれ複数のホールが形成され、これらのホールを通して外部の空気が流入して、前記マイクロ波発生器及び高電圧発生器が冷却されることを特徴とする請求項１４に記載の無電極照明システム。
【請求項１６】
前記第３ケースは、前記第１ケースに所定の間隔をおいて近く装着されることを特徴とする請求項２に記載の無電極照明システム。
【請求項１７】
前記第３ケースと第１ケースとの間には、断熱部材が設置されることを特徴とする請求項１６に記載の無電極照明システム。
【請求項１８】
前記第１ケースの第１領域をカバーする前記第２ケースの一部分には、前記発光部からの光が外部に放出されるように、透明窓が装着されることを特徴とする請求項２に記載の無電極照明システム。
【請求項１９】
前記第２ケースは、前記第１ケースに回動自在に結合されることを特徴とする請求項１に記載の無電極照明システム。
【請求項２０】
前記第２ケースには、前記マイクロ波発生器を空気冷却させるための複数のホールが形成されることを特徴とする請求項１に記載の無電極照明システム。
【請求項２１】
前記第１ケース、第２ケース及び第３ケースは、アルミニウム材質からなることを特徴とする請求項１に記載の無電極照明システム。
【発明の詳細な説明】
【技術分野】
【０００１】
本発明は、無電極照明システムに関し、詳しくは、街路灯のように一側照明が可能で、内部発生熱が円滑に外部に放出されるように構成された無電極照明システムに関する。
【背景技術】
【０００２】
街路灯のような側面照明に用いられる従来の照明システムとしては、通常、４００Ｗまたは２５０Ｗの高圧水銀ランプ、高圧ナトリウムラップまたはメタルハライドランプが使用されている。
【０００３】
このような従来の街路灯は、図６に示すように、上部ケース１及び下部ケース２からなるケーシング３と、前記ケーシング３をポール(図示せず)に固定するアーム４と、前記上部ケース１の内部に設置されるリフレクタ５と、前記リフレクタ５の内側に設置されるランプ１１と、前記ランプ１１を固定するレセプタクル６と、前記ランプ１１に電源を安定的に印加するために、前記ランプ１１に電源線１２を介して連結される安定器７とを含む。
【０００４】
前記下部ケース２には、前記ランプ１１からの光が透過できるように、透明カバー８が設置されている。且つ、前記下部ケース２は、前記上部ケース１にヒンジ９により連結されており、前記上部ケース１の先端部に設置されたクランプ１０により、前記上部ケース１に結合または解体可能になっている。
【０００５】
しかしながら、このような従来の街路灯に使用されるランプ１１は、寿命が短くて頻繁に交替しなければならず、照明効果が非常に低いという欠点があった。
【０００６】
そこで、最近、ランプの寿命が長く、照明効果が優れたプラズマを利用した無電極照明システムを街路灯に適用する技術に関する多様な研究がなされており、これに係る試製品が出てきている。
【０００７】
このような無電極照明システムは、パワーソースであるマグネトロンから発生するマイクロ波エネルギーを導波管を通して共振器に伝送させて、そのマイクロ波エネルギーを共振器の内部に設置された無電極バルブに印加することにより、バルブから可視光線または紫外線を発光させる照明機器であって、一般的に使用される白熱灯や蛍光灯に比べて寿命が長く、照明効果が優れているという利点を有する。
【発明の開示】
【発明が解決しようとする課題】
【０００８】
しかしながら、最近、その技術が公開されるか、または製品化された、街路灯のような側面照明に用いられる従来の無電極照明システムは、構成部品から発生する熱を冷却するために、冷却ファンを利用する強制空気冷却方式を採択しているため、システムの全体的なサイズが大きくなり、その構造のコンパクト化及び単純化が難しいという問題点があった。
【０００９】
また、冷却ファンの駆動及びそれによる空気流動により騷音が発生するという問題点があった。
【００１０】
本発明は、このような従来技術の問題点を解決するためになされたもので、街路灯のように一側照明が可能で、発熱要素と照明要素とがそれぞれ分離された空間に設置され、発生した熱が外部に円滑に放出されるように構成された無電極照明システムを提供することを目的とする。
【課題を解決するための手段】
【００１１】
このような目的を達成するために、本発明による無電極照明システムは、マイクロ波発生器、マイクロ波エネルギーをガイドする導波管、及び前記導波管と連通しマイクロ波エネルギーにより光を発光する発光部が内部に設置され、前記発光部からの光を外部に照らすために一側が開口された第１ケースと、前記第１ケースの開口された一側を開閉自在に前記第１ケースに結合され、前記発光部からの光を通過させるように構成された第２ケースと、前記第１ケースの外部一側に位置し、その内部に前記マイクロ波発生器に高電圧を供給する高電圧発生器が設置された第３ケースとを含むことを特徴とする。
【発明の効果】
【００１２】
本発明による無電極照明システムは、街路灯のような一側照明により効果的に用いられるように構成されている。このような本発明による無電極照明システムは、複数のケースからなり、発光部、マイクロ波発生器及び高電圧発生器のような発熱要素がそれぞれ分離された領域に位置し、これらの領域を分離する複数の分離板が断熱材質からなることによって、相互間に熱干渉が遮断されて、熱による部品損傷が防止される。
【００１３】
また、前記複数の分離板及びケースに複数のホールが形成されており、これらを通して外部の空気とケース内部の空気とが交換されることによって、前記ケース内部の熱が外部に容易に放出されることができる。
【００１４】
且つ、前記ケースの外側に複数の放熱ピンが形成されているため、効率的な熱の放出が可能である。
【発明を実施するための最良の形態】
【００１５】
以下、添付の図面を参照して、本発明による無電極照明システムの好ましい実施形態を説明する。
まず、本発明の第１実施形態による無電極照明システムについて、図１〜図３を参照して説明する。
【００１６】
図１は、本発明の第１実施形態による無電極照明システムを示す斜視図で、図２は、図１の縦断面図で、図３は、本発明による発光部、導波管及びマイクロ波発生器からなる組立体を示す斜視図である。
【００１７】
図に示すように、本発明の第１実施形態による無電極照明システムは、マイクロ波発生器１０２、マイクロ波エネルギーをガイドする導波管１０３、及び前記導波管１０３と連通しマイクロ波エネルギーにより光を発光する発光部１２０が内部に設置され、前記発光部１２０からの光を外部に照らすために一側が開口された第１ケース２００と、前記第１ケース２００の開口された一側を開閉自在に前記第１ケース２００に結合され、前記発光部１２０からの光を通過させるように構成された第２ケース３００と、前記第１ケース２００の外部一側に位置し、その内部に前記マイクロ波発生器１０２に高電圧を供給する高電圧発生器１０８が設置された第３ケース４００とを含む。
【００１８】
前記第１ケース２００は、前記発光部１２０が位置する第１領域Ａと、前記マイクロ波発生器１０２及び導波管１０３が位置する第２領域Ｂと、前記第１ケース２００を支持するアーム１１０が設置され、前記高電圧発生器１０８及びマイクロ波発生器１０２に電源を供給するための電源ケーブル(図示せず)が引き込まれる第３領域Ｃとに区分される。
【００１９】
ここで、前記アーム１１０は、前記第３領域Ｃの一側に形成されたブラケット１０９により固定される。
【００２０】
前記第１領域Ａ及び第２領域Ｂが位置する前記第１ケース２００の外部一側には、前記発光部１２０及びマイクロ波発生器１０２から発生する熱を外部に伝達するための複数の放熱ピン１１７が形成される。これらの放熱ピン１１７は、前記第１ケース２００の開口された一側の反対面に全体的に形成することが好ましい。設計によっては、前記複数の放熱ピン１１７は、前記第１ケース２００の開口された一側を除いた、前記第１ケース２００の外面全体に形成してもよい。
【００２１】
前記発光部１２０は、一端が前記導波管１０３に連結され、前記導波管１０３から流入するマイクロ波エネルギーは内部で共振させ、光は通過させるように構成された共振器１０４と、前記共振器１０４の一端より他端に近く位置し、マイクロ波エネルギーにより発光するバルブ１０５と、前記第１ケース２００の開口された一側と対向する前記第１ケース２００の内面に設置され、前記バルブ１０５からの光を前記第１ケース２００の開口された一側に反射させるリフレクタ１０７とを含む。
【００２２】
前記バルブ１０５は、前記第１ケース２００の第２領域Ｂに設置されたモータ１０６に、電球回転軸１０５ａを介して連結されて回転される。
【００２３】
また、前記バルブ１０５は、街路灯のような一側照明をより効果的に達成するために、前述したように、前記共振器１０４の他端に近接して位置し、前記電球回転軸１０５ａは、前記共振器１０４の中心を通過するように長く形成されることが好ましい。
【００２４】
また、前記バルブ１０５にマイクロ波エネルギーがより効果的に集中されるように、前記共振器１０４の内部には、その共振空間を調節する共振調節部材１０４ａが設置される。前記共振調節部材１０４ａには、前記電球回転軸１０５ａがその中心を通過するように設置されることが好ましい。
【００２５】
前記第１ケース２００の第１領域Ａと第２領域Ｂとは、分離板１１６により分けられ、前記分離板１１６には、前記導波管１０３と連結される前記共振器１０４が通過するホールが形成される。
【００２６】
また、前記共振器１０４が通過するホールを除いた前記分離板１１６の他の部分は、前記第２領域Ｂから前記第１領域Ａに異質物が含有された空気が流入することが防止されるように、シーリングされることが好ましい。
【００２７】
ここで、前記分離板１１６は、前記第１ケース２００と一体に形成されることが好ましい。
【００２８】
また、前記分離板１１６は、前記第１ケース２００と異なる材質の部材により形成されてもよい。このとき、前記分離板１１６は、断熱部材により形成されることが好ましい。
【００２９】
一方、前記第１ケース２００の第２領域Ｂと第３領域Ｃとは、分離板２２０により分けられ、前記分離板２２０には、前記電源ケーブルが通過する複数のホール２２０ａが形成される。
【００３０】
図に示していないが、前記電源ケーブルは、外部から前記第１ケース２００の第３領域Ｃを通して、前記高電圧発生器１０８及びマイクロ波発生器１０２に連結される。
【００３１】
一方、前記マイクロ波発生器１０２から発生する熱を外部に伝達するために、前記第１ケース２００の第２領域Ｂには、前記マイクロ波発生器１０２と第１ケース２００の内面とを連結する熱伝達部材１１３が設置される。
【００３２】
このとき、前記熱伝達部材１１３は、前記第１ケース２００の放熱ピン１１７が形成された側の内面に連結される。即ち、前記熱伝達部材１１３の一端に形成された連結部１１１が、ボルト１１２により、前記第１ケース２００の内面に固定される。その他にも、前記熱伝達部材１１３を前記第１ケース２００に固定させる多様な方式を適用することができる。
【００３３】
前記第２ケース３００は、前記第１ケース２００に回動自在に結合される。即ち、前記第２ケース３００の一端は、ピン３００ｂにより、前記第１ケース２００の第３領域Ｃに回動自在に固定され、その他端には、前記第１ケース２００の第１領域Ａの先端に分離自在に結合されるように、クランプ３００ｃが形成されている。
【００３４】
また、前記第１ケース２００の第１領域Ａをカバーする前記第２ケース３００の一部分には、前記発光部１２０からの光が外部に放出されるように、透明窓３００ａが装着される。
【００３５】
且つ、前記第２ケース３００には、前記マイクロ波発生器１０２を空気冷却させるための複数のホール３００ｄが形成される。即ち、前記複数のホール３００ｄは、前記第１ケース２００の第２領域Ｂをカバーする前記第２ケース３００の一部分に形成される。このように、前記複数のホール３００ｂを通して、前記第１ケース２００の第２領域Ｂの空気と外部の空気とが交換されることによって、前記マイクロ波発生器１０２から発生する熱が冷却される。
【００３６】
内部に高電圧発生器１０８が設置される前記第３ケース４００は、図１及び図２に示すように、前記第１ケース２００に所定の距離をおいて近接して装着される。
このとき、前記第３ケース４００と第１ケース２００との間には、前記高電圧発生器１０８から発生する熱が前記第１ケース２００の内部に伝達されることを防止するために、断熱部材２５０を設置することが好ましい。
【００３７】
また、前記第３ケース４００の外側一面には、前記高電圧発生器１０８から発生する熱をより効果的に外部に放出させるための複数の放熱ピン１１９が形成される。これらの放熱ピン１１９は、前記第３ケース４００の外側面全体にわたって形成されてもよい。
【００３８】
一方、前記第３ケース４００は、その一側に形成された脱着部材１１８により、前記第１ケース２００から分離自在に構成される。
【００３９】
前述したような第１ケース２００、第２ケース３００及び第３ケース４００は、アルミニウム材質からなることが好ましい。
【００４０】
以下、本発明の第２実施形態による無電極照明システムについて、図４及び図５を参照して説明する。
【００４１】
ここで、前述した本発明の第１実施形態と同一構成要素には同一符合を付してその説明を省略する。
【００４２】
図４は、本発明の第２実施形態による無電極照明システムを示す斜視図で、図５は、図４の縦断面図である。
【００４３】
図に示すように、本発明の第２実施形態による無電極システムにおいて、第３ケース５００は、本発明の第１実施形態による無電極システムの第３ケース４００とは異なって、前記第１ケース２００に密着するように付着されている。
【００４４】
このとき、前記第３ケース５００と前記第１ケース２００の第２領域とは、分離板４２０により分けられる。前記分離板４２０は、前記第１ケース２００の第２領域Ｂと第３領域Ｃとを分ける分離板２２０から延長して形成されることが好ましい。
【００４５】
前記分離板４２０には、複数のホール４２０ａが形成される。これにより、前記第１ケース２００の第２領域Ｂをカバーする前記第２ケース３００の一部分に形成された複数のホール３００ｄ、及び前記分離板４２０の複数のホール４２０ａを通して、外部の空気と前記第３ケース５００内部の空気とが交換されることによって、前記マイクロ波発生器１０２と共に、前記高電圧発生器１０８が冷却される。
【００４６】
且つ、前記第３ケース５００の外側一面には、前記高電圧発生器１０８から発生する熱をより効果的に外部に放出させるための複数の放熱ピン４６０が形成される。これらの放熱ピン４６０は、前記第３ケース４００の外側面全体にわたって形成されてもよい。
【００４７】
また、前記第３ケース５００に形成された放熱ピン４６０は、前記第１ケース２００に形成された放熱ピン１１７と接触するように位置することにより、前記第１ケース２００及び第３ケース３００の内部熱をより効率的に外部に放出させる。
一方、前記第３ケース５００は、その一側に形成された脱着部材４８０により、前記第１ケース２００から分離自在に構成される。
【００４８】
ここで、前記第３ケース５００も、アルミニウム材質からなることが好ましい。
以下、このように構成された本発明による無電極照明システムの動作を説明する。
高電圧発生器１０８から発生した高電圧がマイクロ波発生器１０２に伝達されると、前記マイクロ波発生器１０２からマイクロ波エネルギーが発生し、その発生したマイクロ波エネルギーは、導波管１０３を通してガイドされて、共振器１０４の内部に流入する。そして、前記共振器１０４の内部に流入したマイクロ波エネルギーは、該共振器１０４の内部で共振されると共に、バルブ１０５に封入された発光物質を励起させる。これにより、プラズマによる光が発生し、その発生した光は、前記共振器１０４を通過してリフレクタ１０７により反射されながら、第１ケース２００の開口された側を通して外部を照らす。
このとき、バルブ１０５、マイクロ波発生器１０２及び高電圧発生器１０８のように熱を発生させる要素が、互いに分離された領域、即ち、第１ケース２００の第１領域Ａ及び第２領域Ｂ、並びに第３ケース４００、５００にそれぞれ位置することによって、相互間に熱による干渉が遮断される。特に、第２実施形態では、前記分離板２２０、４２０に形成されたホール２２０ａ、４２０ａ、及び前記第２ケース３００に形成されたホール３００ｄを通して、外部の空気とケース２００、５００内部の空気とが交換されることによって、熱が外部に容易に放出される。
【００４９】
特に、前記マイクロ波発生器１０２から発生した熱は、これと連結された熱伝達部材１１３を通して前記第１ケース２００に伝達され、前記第１ケース２００に伝達された熱は、その外側に形成された複数の放熱ピン１１７を通して外部空気と熱交換されることにより、容易に外部に放出される。且つ、前記高電圧発生器１０８から発生した熱は、前記第３ケース４００、５００の外側に形成された複数の放熱ピン１１９、４６０を通して外部に放出される。
【図面の簡単な説明】
【００５０】
【図１】本発明の第１実施形態による無電極照明システムを示す斜視図である。
【図２】図１の縦断面図である。
【図３】本発明による発光部、導波管及びマイクロ波発生器からなる組立体を示す斜視図である。
【図４】本発明の第２実施形態による無電極照明システムを示す斜視図である。
【図５】図４の縦断面図である。
【図６】従来の街路灯システムを概略的に示す縦断面図である。
【符号の説明】
【００５１】
１０２    マイクロ波発生器
１０３    導波管
１０８    高電圧発生器
１１３    熱伝達部材
１１７、１１９    放熱ピン
１２０    発光部
２００    第１ケース
３００    第２ケース
４００、５００    第３ケース
Ａ    第１領域
Ｂ    第２領域
Ｃ    第３領域
【図１】
2006128074.tif 000003
【図２】
2006128074.tif 000004
【図３】
2006128074.tif 000005
【図４】
2006128074.tif 000006
【図５】
2006128074.tif 000007
【図６】
2006128074.tif 000008